(57)【特許請求の範囲】
【請求項１】
一枚のブランクシートから一体的に打ち抜かれた箱体形成片から成り、この箱体形成片には、互いに平行に連接された側面と、前記側面同士を糊付けする糊付片と、前記側面と前記糊付片に前記連接方向に沿って一周して形成されたミシン線が設けられ、前記ミシン線は、前記側面を貫通して切断された切断線と、切り残されたアキ部が交互に設けられているとともに、前記ミシン線は、前記側面ごとに分断され、前記箱体形成片の組立状態で、各側面の連接方向を略水平にしたとき、前記各ミシン線は右上がりに僅かに傾斜し、前記各側面同士の間に位置する折罫線では、左側の側面のミシン線の先端部が、右側の側面のミシン線の先端部よりも上に位置し、この一対のミシン線の先端部の間は切り残された連結部となることを特徴とするねじり開封式包装用箱。
【請求項２】
前記箱体形成片の組立状態で、各側面の連接方向を略水平にしたとき、前記側面の前記ミシン線よりも下方に、前記ミシン線に交差し下方に延出する折罫線が設けられていることを特徴とする請求項１記載のねじり開封式包装用箱。
【発明の詳細な説明】
【技術分野】
【０００１】
この発明は、飲料や菓子等の小形の製品を収容し、ミシン線に沿って開封するねじり開封式包装用箱に関する。
【背景技術】
【０００２】
従来、菓子等の小形の製品を収容する紙製のパッケージがある。このようなパッケージには、開封用のミシン線が設けられている。開封用のミシン線は、その開封方法により様々な位置に設けられている。例えば、特許文献１に開示されている、ひねって開封する紙箱は、箱体のコの字形に組立てられた３個の壁板に連通するミシン線が設けられ、残りの１個の壁板にはこのミシン線に連通する折り目線が設けられている。この紙箱を開封するときは、ミシン線に対してほぼ直角の軸回りに、ミシン線を挟んで箱体を反対方向へひねる。これにより、ミシン線が破断して壁板が分割され、開封することができる。分割した箱体の一方は、蓋体となり、折り目線から外側に折り曲げて製品を中から取り出し、再び折り目線を元に戻すことにより箱体の開口部を閉じることができる。
【特許文献１】特開２００３−３２１０２２号公報
【発明の開示】
【発明が解決しようとする課題】
【０００３】
上記従来の特許文献の場合、折り目線を切断せず、３個の壁板のみを破断して開封するため、開封する際にひねる回転角度が制限され、力が必要であり、箱の変形に注意しなければならず、開封操作が面倒であった。
【０００４】
この発明は、上記従来の技術の問題点に鑑みてなされたものであり、ねじるだけで簡単に開封され、弱い力でも容易に開封可能なねじり開封式包装用箱を提供することを目的とする。
【課題を解決するための手段】
【０００５】
本発明は、一枚のブランクシートから一体的に打ち抜かれた箱体形成片から成り、この箱体形成片には、互いに平行に連接された側面と、前記側面同士を糊付けする糊付片と、前記側面と前記糊付片に前記連接方向に沿って一周して形成されたミシン線が設けられ、前記ミシン線は、前記側面を貫通して切断する切断線と、切り残されたアキ部が交互に設けられているねじり開封式包装用箱である。
【０００６】
さらに、前記ミシン線は前記側面ごとに分断され、前記箱体形成片の組立状態で、各側面の連接方向を略水平にしたとき、前記各ミシン線は右上がりに僅かに傾斜し、前記各側面同士の間に位置する折罫線では、左側の側面のミシン線の先端部が、右側の側面のミシン線の先端部よりも上に位置し、この一対のミシン線の先端部の間は切り残された連結部となるものである。
【０００７】
そして箱体形成片の組立状態で、ねじり開封式包装用箱の各ミシン線より上に位置する上部を、各ミシン線より下に位置する下部に対して、ネジの螺合を解除するときと同じ方向に、軸周りに右側へ回転させる。これにより、各ミシン線の、切断線どうしの間の切り残されたアキ部が切断され、各ミシン線どうしの間の連結部も引っ張る力が働いて切断される。これにより、ねじり開封式包装用箱は上部と下部に分割され、開封される。
【０００８】
また、前記箱体形成片の組立状態で、各側面の連接方向を略水平にしたとき、前記側面の前記ミシン線よりも下方に、前記ミシン線に交差し下方に延出する折罫線が設けられている。前記ねじり開封式包装用箱を開封後に、この折罫線を逆折りすることにより、分割された下部の開口部を小さくし、上部を、下部の開口部に被せて再封することができる。
【発明の効果】
【０００９】
本発明のねじり開封式包装用箱は、ネジの螺合を解除するときのようにねじるだけで簡単に開封され、高齢者や幼児でも、弱い力で容易に開封可能である。開封時に破片等のゴミが出ることが無く、廃棄処分が簡単である。
【発明を実施するための最良の形態】
【００１０】
以下、この発明の実施形態について図面に基づいて説明する。図１、図２はこの発明の一実施形態を示すもので、この実施形態のねじり開封式包装用箱１０は、箱体を形成する四角筒状に組み立てられた側面１４，１６，１８，２０に、ミシン線３２，３４，４６，６２が一周して形成されている。この実施形態のねじり開封式包装用箱１０は、手で破断可能な薄さの紙製ブランクシートを打ち抜いて形成された箱体形成片１２を組み立てて設けられている。
【００１１】
図２は箱体形成片１２を表面から見た展開図であり、箱体形成片１２は、側面１４，１６，１８，２０が、互いに平行に連接して形成されている。側面１４，１６，１８，２０はほぼ同じ形状であり、連接している幅方向は長くて連接方向の長さは短く、長細い長方形である。さらに側面１４の側縁部には、ねじり開封式包装用箱１０の組立状態で側面２０の裏面に糊付けされる糊付片２２が設けられている。そして、糊付片２２、側面１４，１６，１８，２０は、各々折罫線２４，２６，２８，３０で区切られている。
【００１２】
側面１４には、側面同士の連接方向に沿ってミシン線３２が設けられている。ミシン線３２は、側面１４を貫通して切断する切断線と、切り残されたアキ部が交互に設けられている。ミシン線３２は、側面１４の中心よりも連接方向に対して直角な方向の一端部１４ａ寄りに設けられ、側面同士の連接方向に対して僅かに傾斜している。傾斜方向は、ミシン線３２の、折罫線２４側の先端部３２ａよりも折罫線２６側の先端部３２ｂが、端部１４ａに近づく方向である。
【００１３】
側面１６にも、ミシン線３２と同様にミシン線３４が設けられている。ミシン線３４は、側面１４に対するミシン線３２の位置や角度と同様に、側面１６の同じ位置と角度に設けられている。側面１４に隣接する折罫線２６側の先端部３４ａよりも折罫線２８側の先端部３４ｂが、端部１４ａに連続する端部１６ａに近づくように傾斜している。折罫線２６には、ミシン線３２の先端部２３ｂとミシン線３４の先端部３４ａが達し、先端部３４ａよりも先端部２３ｂが端部１４ａ，１６ａに近い位置にあり、先端部２３ｂ，３４ａの間は切り残された連結部３６となっている。
【００１４】
側面１６の端部１６ａには、台形状のフラップ３８が端部１６ａに一致する折罫線４０で区切られて設けられている。側面１６の、折罫線４０と反対側の端部には、台形状のフラップ４２が折罫線４４で区切られて設けられている。
【００１５】
側面１８にも、ミシン線３４と同様にミシン線４６が設けられている。ミシン線４６は、側面１４に対するミシン線３２の位置や角度と同様に、側面１８の同じ位置と角度に設けられている。折罫線２８には、ミシン線３４の先端部３４ｂとミシン線４６の先端部４６ａが達し、先端部３４ｂ，４６ａの間は切り残された連結部３６となっている。
【００１６】
側面１８の、側面１６の折罫線４０に隣接する端部には、蓋片４７が折罫線４８で区切られて設けられている。蓋片４７の折罫線４８と反対側の端部には、さらに差込片５０が折罫線５２で区切られて設けられている。折罫線５２の両端部には、差込片５０がフラップ３８と後述するフラップ６４と係止しやすいように短い切込線が設けられている。側面１８の、折罫線４８と反対側の端部には、蓋片５４が折罫線５６で区切られて設けられている。蓋片５４の折罫線５６と反対側の端部には、さらに差込片５８が折罫線６０で区切られて設けられている。折罫線６０の両端部には短い切込線が設けられている。
【００１７】
側面２０にも、ミシン線４６と同様にミシン線６２が設けられている。ミシン線６２は、側面１４に対するミシン線３２の位置や角度と同様に、側面２０の同じ位置と角度に設けられている。折罫線３０には、ミシン線４６の先端部４６ｂとミシン線６２の先端部６２ａが達し、先端部４６ｂ，６２ａの間は切り残された連結部３６となっている。
【００１８】
側面２０の、側面１８の折罫線４８に隣接する端部には、台形状のフラップ６４が折罫線６６で区切られて設けられている。側面２０の、折罫線６６と反対側の端部には、台形状のフラップ６８が折罫線７０で区切られて設けられている。
【００１９】
糊付片２２にも、ミシン線３２と同様にミシン線７１が設けられている。ミシン線７１は、折罫線２４から、糊付片２２の側面同士の連接方向の側縁部２２ａの近傍にかけて形成されている。ミシン線７１は、ミシン線３２と同じ角度に設けられ、折罫線２４上に位置する先端部７１ａは、ミシン線３２の先端部３２ａよりも連結部３６を介して端部１４ａ側に位置している。
【００２０】
次に、この実施形態のねじり開封式包装用箱１０の組立方法の一例について説明する。なお、ここでは図２がねじり開封式包装用箱１０の箱体形成片１２の表面を見たものであり、箱体形成片１２の表面が凸になる折り方を正折り、そして裏面が凸になる折り方を逆折りと称する。
【００２１】
まず、折罫線２６を正折りして糊付片２２の表面に糊７２を塗布する。次に、折罫線３０を正折りし、側面２０の裏面が糊７２により糊付片２２の表面に糊付けされる。次に商品を収容し包装する工場等において、折罫線２４，２６，２８，３０を各々９０度に正折りして四角形の箱体にする。次に、折罫線４４，７０でフラップ４２，６８を９０度に正折りし、その後折罫線５６で蓋片５４を９０度に正折りし、差込片５８を折罫線６０で正折りし、差込片５８を側面１４の裏面側に差し込んで係止し、一方の端部が形成される。さらに、折罫線４０，６６でフラップ３８，６４を９０度に正折りし、折罫線４８で蓋片４７を９０度に正折りし、差込片５０を折罫線５２で正折りし、差込片５０を側面１４の裏面側に差し込んで係止し、他方の端部が形成される。なお、箱体形成片１２を組み立てる順番はこれ以外でもよく、適宜変更可能である。
【００２２】
次に、この実施形態のねじり開封式包装用箱１０の開封方法について説明する。図１（ａ）は、ねじり開封式包装用箱１０が未開封の状態である。蓋片４７を上方にしてテーブル等に立てたときミシン線３２，３４，４６，６２は側面１４，１６，１８，２０を水平方向に一周している。ここで、ミシン線３２，３４，４６，６２で区切られた上方を上部１０ａとし、下方を下部１０ｂとする。ねじり開封式包装用箱１０を開封するときは、上部１０ａを、下部１０ｂに対してネジの螺合を解除するときと同じ方向に、軸周りに右側へ回転させる。これにより、各ミシン線３２，３４，４６，６２の、切断線間のアキ部が切断され、各ミシン線３２，３４，４６，６２どうしの間の連結部３６も引っ張る方向に力が働き、切断される。これにより、図１（ｂ）に示すようにねじり開封式包装用箱１０は上部１０ａと下部１０ｂに分割され、開封される。
【００２３】
この実施形態のねじり開封式包装用箱１０によれば、簡単な構造で、簡単な操作により上部１０ａと下部１０ｂに２分割し、容易に開封することができる。開封する操作は、瓶の蓋を回して開封するときと同じであり、ネジの螺合を解除する方向に回すため、慣れている操作であり、高齢者や幼児等、力が弱い使用者でも容易に開封することができる。連結部３６は上部１０ａを右に回すと引っ張る方向に力が働き、円滑に切断される。開封時に破片等のゴミが発生せず、破棄処分が簡単である。
【００２４】
なお、この実施形態のねじり開封式包装用箱１０は、図３に示すように側面１４に折罫線７４が設けられていてもよい。折罫線７４は、側面１４の下部１０ｂに形成され、ミシン線３２から側面１４の中心を通過して、つまり折罫線２４，２６の中間に沿って下方に延出し、端部１４ａと反対の端部１４ｂに達している。各側面１６，１８，２０にも同様に、折罫線７６，７８，８０が下部１０ｂに形成され、ミシン線３４，４６，６２から折罫線４４，５６，７０に達している。
【００２５】
折罫線７４，７６，７８，８０が設けられていることにより、ねじり開封式包装用箱１０を上部１０ａと下部１０ｂに分割した後に、下部１０ｂの側面１４，１６，１８，２０を各々折罫線７４，７６，７８，８０で逆折りして、分割された開口部を小さくすることができる。下部１０ｂの開口部を小さくし、上部１０ａを開口部に被せて再封することができる。折罫線７４，７６，７８，８０の下方までの長さは、側面１４ｂ、折罫線４４，５６，７０に達しない短いものでもよい。
【００２６】
この発明のねじり開封式包装用箱は、上記の実施形態に限定されるものではなく、箱体の形状は収容する製品に合わせて適宜変更可能であり、ミシン線の位置や、アキ部や連結部の長さ等も適宜変更可能である。
【図面の簡単な説明】
【００２７】
【図１】この発明の一実施形態のねじり開封式包装用箱の開封前の状態を示す斜視図（ａ）と、開封後の状態を示す斜視図（ｂ）である。
【図２】この実施形態のねじり開封式包装用箱の展開図である。
【図３】この実施形態のねじり開封式包装用箱の変形例を示す展開図である。
【符号の説明】
【００２８】
１０  ねじり開封式包装用箱
１２  箱体形成片
１４，１６，１８，２０  側面
２２  糊付片
３２，３４，４６，６２  ミシン線
３６  連結部
４７，５４  蓋片
【図１】
0005165331.tif 000002
【図２】
0005165331.tif 000003
【図３】
0005165331.tif 000004